(57)【要約】【課題】バイオプシ撮影に用いられる補正データをステレオ撮影の都度に取り直すことなく、各放射線量情報検出器の検出値を好適に補正する方法を提供する。【解決手段】被写体２７の乳房２８を透過した放射線Ｘｒａｙの線量を検出し、ＡＥＣ用の検出値を取得する複数のＡＥＣセンサ６４と、前記検出値に各ＡＥＣセンサ６４の位置に応じた重み付け係数を乗じる重み付け係数付与部８８と、重み付け係数が乗じられた前記検出値に基づいて放射線源３０から曝射される放射線量を制御する放射線源制御部７６とを有するものであって、基準幾何学的撮影条件に基づいて決定された重み付け係数を基準重み付け係数として保持する基準値保持部９０と、放射線源３０、固体検出器６０、又は複数のＡＥＣセンサ６４の位置に関する幾何学的撮影条件を取得する幾何学的撮影条件取得部９２と、基準幾何学的撮影条件、基準重み付け係数及び幾何学的撮影条件に基づいて前記基準重み付け係数を補正する重み付け係数補正部９４とを備える。【選択図】図４
2010227432.tif 000002
【特許請求の範囲】
【請求項１】
回転軸を中心として回転可能に支持された、被写体の撮影部位に放射線を曝射する放射線源と、
前記撮影部位を透過した前記放射線の線量を検出する放射線検出部と、
前記放射線検出部により検出した前記放射線の線量に基づいて前記撮影部位に係る画像情報を取得し、該画像情報に基づいて放射線画像を形成する放射線画像形成部と、
複数の測定位置において、前記撮影部位を透過した放射線の線量を検出し、露出制御用の放射線量情報を取得する放射線量情報検出器と、
前記複数の測定位置において測定された前記各放射線量情報に前記測定位置に応じた重み付け係数を乗じる重み付け係数付与部と、
前記重み付け係数が乗じられた前記各放射線量情報に基づいて前記放射線源から曝射される放射線量を制御する放射線源制御部と、を有する放射線画像撮影装置であって、
基準の幾何学的撮影条件に基づいて決定された前記重み付け係数を基準値として保持する基準値保持部と、
前記放射線源、前記放射線検出部、又は前記放射線量情報検出器の位置に関する幾何学的撮影条件を取得する幾何学的撮影条件取得部と、
前記基準の幾何学的撮影条件、前記基準値及び前記幾何学的撮影条件に基づいて前記重み付け係数を補正する重み付け係数補正部と、
を備えることを特徴とする放射線画像撮影装置。
【請求項２】
請求項１記載の放射線画像撮影装置において、
前記幾何学的撮影条件は、前記放射線源の回転角、前記複数の測定位置、前記放射線源の回転中心位置、及び前記放射線検出部に係る検出面の法線方向の位置である
ことを特徴とする放射線画像撮影装置。
【請求項３】
請求項１又は２記載の放射線画像撮影装置において、
前記重み付け係数補正部は、前記放射線源の回転角を変数とする関数を用いて前記重み付け係数を補正する
ことを特徴とする放射線画像撮影装置。
【請求項４】
請求項１乃至３のいずれかに記載の放射線画像撮影装置において、
前記所定の幾何学的撮影条件は、前記放射線の光軸が前記放射線検出部に係る検出面の法線方向となるように設定して行う幾何学的撮影条件である
ことを特徴とする放射線画像撮影装置。
【請求項５】
請求項１乃至４のいずれかに記載の放射線画像撮影装置において、
前記撮影部位は被写体の乳房である
ことを特徴とする放射線画像撮影装置。
【発明の詳細な説明】
【技術分野】
【０００１】
本発明は、被写体の放射線画像情報を取得するための放射線画像撮影装置に関する。
【背景技術】
【０００２】
医療分野においては、放射線源から放射線を被写体（患者）に曝射し、被写体を透過した放射線を固体検出器により検出し、その検出された検出信号に基づいて放射線画像情報を取得する放射線画像撮影装置が広汎に使用されている。
【０００３】
このような放射線画像撮像装置の１つとして、乳癌検診等に利用されるマンモグラフィ装置が知られている。マンモグラフィ装置は、例えば、パネル状の固体検出器が内装され、被写体の撮影部位である乳房を支持する撮影台と、該撮影台に対向して配置され、乳房を撮影台に対して押圧する圧迫板と、該圧迫板を介して乳房に放射線を曝射する放射線源とを備える。
【０００４】
また、被写体のマンモの放射線透過画像を取得するマンモグラフィ装置に対し、病気の診断等のため病変部位の組織を採取して精密な検査を行うことができる機構を搭載した、乳房撮影定位装置が開発されている。かかる乳房撮影定位装置において、ステレオ撮影とよばれる放射線画像撮影方法がよく用いられている。ここで、ステレオ撮影とは、複数方向の角度から乳房を撮影し、生検針で刺入するための正確な三次元病変位置を割り出す撮影方法をいう。
【０００５】
さらに、この種の放射線画像撮影装置では、被写体の放射線量を最小にしながらも良好な放射線画像品質を確保する必要がある。従って、被写体における関心領域の適切な放射線画像情報を取得するためには、該関心領域に所望の量の放射線が曝射されるように曝射制御条件を設定する必要がある。そこで、被写体を透過した放射線量の検出結果に基づき、放射線源から照射される放射線量を制御する自動露出制御（ＡＥＣ、Ａｕｔｏｍａｔｉｃ  Ｅｘｐｏｓｕｒｅ  Ｃｏｎｔｒｏｌ）システムを備える放射線画像撮影装置が提案されている。
【０００６】
例えば、特許文献１に開示されたＸ線検査装置では、Ｘ線検出器における複数の測定位置で放射線量の検出を行い、それぞれの検出値に基づいて着目部分（露出過剰でも露出不足でもない好適な測定領域）を抽出することにより、好適なＡＥＣを行うことができる。
【先行技術文献】
【特許文献】
【０００７】
【特許文献１】特表２０００−５１３８６９号公報
【特許文献２】特開平５−２００１２６号公報
【発明の概要】
【発明が解決しようとする課題】
【０００８】
しかしながら、乳房撮影定位装置を用いて、ＡＥＣを利用しつつステレオ撮影を行うとき、以下の弊害が生じる場合がある。
【０００９】
撮影台の左右方向に複数配置されるＡＥＣセンサの検出値補正を行うことによって、管球とＡＥＣセンサの距離の幾何学的影響、ＡＥＣセンサ感度等のばらつき影響を低減した撮影をすることができる。一般的には、ステレオ角度０°となる正面画像撮影（いわゆるスカウト撮影）で照射したときのＡＥＣセンサの入力値に基づいて補正データを作成する方法が用いられる。
【００１０】
けれども、バイオプシに係るステレオ撮影（ステレオ角度が０°以外の撮影）を行う際には、撮影系の幾何学的撮影条件の差異、具体的に言えば、管球と各ＡＥＣセンサとの距離に係る相対関係の歪みが生じ、放射線照射量の高精度推定が困難になる結果、ＡＥＣが十分に機能しない場合が生じ得るという課題がある。
【００１１】
ここで、治療用ガントリの回転中心点と一致するように病巣部を治療台に固定し、一定の照射線量が得られるように、放射線の照射線量率を制御する定位的放射線治療装置（特許文献２参照）が知られており、この課題解決に際し、該発明をそのまま利用し得るとも考えられる。
【００１２】
しかし、一般的な乳房撮影定位装置は複数のＡＥＣセンサを配設しており、すべてのＡＥＣセンサを放射線源の回転中心に位置させることは不可能であることから、特許文献２に記載した発明をそのまま利用することができない。
【００１３】
また、この課題を解決するために、バイオプシ撮影用として種々のステレオ角度に対応する補正データを取得する方法も考えられる。
【００１４】
かかる場合、ステレオ角度の変化分のみならず、ＳＩＤ（Ｓｏｕｒｃｅ  Ｉｎｄｉｃａｔｏｒ  Ｄｉｓｔａｎｃｅ）の距離、ＡＥＣセンサ位置等の幾何学的撮影条件に対応する最適な補正データをその都度に取得しなければならず、患者に対する被曝量が増加するのみならず、撮影作業とデータ管理の手間を増やすことになる。
【００１５】
本発明は、前記の課題を解決するためになされたものであり、例えば、バイオプシ撮影に用いられる補正データをステレオ撮影の都度に取り直すことなく、複数の放射線量情報検出器の検出値を好適に補正する方法を提供する。
【課題を解決するための手段】
【００１６】
本発明に係る乳房放射線画像撮影装置は、回転軸を中心として回転可能に支持された、被写体の撮影部位に放射線を曝射する放射線源と、前記撮影部位を透過した前記放射線の線量を検出する放射線検出部と、前記放射線検出部により検出した前記放射線の線量に基づいて前記撮影部位に係る画像情報を取得し、該画像情報に基づいて放射線画像を形成する放射線画像形成部と、複数の測定位置において、前記撮影部位を透過した放射線の線量を検出し、露出制御用の放射線量情報を取得する放射線量情報検出器と、前記複数の測定位置において測定された前記各放射線量情報に前記測定位置に応じた重み付け係数を乗じる重み付け係数付与部と、前記重み付け係数が乗じられた前記各放射線量情報に基づいて前記放射線源から曝射される放射線量を制御する放射線源制御部と、を有するものであって、基準の幾何学的撮影条件に基づいて決定された前記重み付け係数を基準値として保持する基準値保持部と、前記放射線源、前記放射線検出部、又は前記放射線量情報検出器の位置に関する幾何学的撮影条件を取得する幾何学的撮影条件取得部と、前記基準の幾何学的撮影条件、前記基準値及び前記幾何学的撮影条件に基づいて前記重み付け係数を補正する重み付け係数補正部と、を備えることを特徴とする（請求項１記載の発明）。
【００１７】
さらに、前記幾何学的撮影条件を、前記放射線源の回転角、前記複数の測定位置、前記放射線源の回転中心位置、及び前記放射線検出部に係る検出面の法線方向の位置とすることが好ましい（請求項２記載の発明）。
【００１８】
さらに、前記重み付け係数を、前記放射線源の回転角についての関数となるように保持することが好ましい（請求項３記載の発明）。
【００１９】
さらに、前記基準の幾何学的撮影条件は、前記放射線の光軸が前記放射線検出部に係る検出面の法線方向となるように設定して行う幾何学的撮影条件となるようにすることが好ましい（請求項４記載の発明）。
【００２０】
さらに、前記撮影部位は被写体の乳房であり、マンモグラフィに用いることが好ましい（請求項５記載の発明）。
【発明の効果】
【００２１】
本発明によれば、放射線量情報が検出される複数の測定位置から、所定の放射線量測定位置を選択する場合に、幾何学的撮影条件をも考慮しつつ各放射線量情報にその測定位置に応じた重み付け係数を乗じる演算処理を行うので、バイオプシ撮影に用いられる補正データをステレオ撮影の都度に取り直すことなく、各放射線量情報検出器の検出値を好適に補正することができる。
【図面の簡単な説明】
【００２２】
【図１】本実施形態のマンモグラフィ装置の斜視説明図である。
【図２】図１に示すマンモグラフィ装置における撮影台の内部構成を示す要部説明図である。
【図３】図２に示す撮影台の内部構成を示す一部省略斜視図である。
【図４】図１に示すマンモグラフィ装置を構成するＡＥＣ回路ブロック図である。
【図５】図１に示すマンモグラフィ装置を構成するバイオプシハンド部の駆動制御回路ブロック図である。
【図６】本実施形態のマンモグラフィ装置の動作フローチャートである。
【図７】図７Ａは、本実施形態のマンモグラフィ装置に係るＡＥＣセンサの配設位置の関係図である。図７Ｂは、本実施形態のマンモグラフィ装置に係る好適な基準重み付け係数の一例を示す表である。
【図８】本実施形態のマンモグラフィ装置に係るステレオ撮影の説明図である。
【図９】図９Ａ及び図９Ｂは、本実施形態のマンモグラフィ装置に係る幾何学的撮影条件の具体例を示す図である。
【図１０】図１０Ａは、本実施形態のマンモグラフィ装置のステレオ撮影（θ＝−４５°）に係る好適な補正係数の一例を示す表である。図１０Ｂは、本実施形態のマンモグラフィ装置のステレオ撮影（θ＝−４５°）に係る好適な重み付け係数の一例を示す表である。
【図１１】図１１Ａは、本実施形態のマンモグラフィ装置のステレオ撮影（θ＝＋４５°）に係る好適な補正係数の一例を示す表である。図１１Ｂは、本実施形態のマンモグラフィ装置のステレオ撮影（θ＝＋４５°）に係る好適な重み付け係数の一例を示す表である。
【図１２】本実施形態のマンモグラフィ装置に係るトモシンセシスに好適な重み付け係数の一例を示すグラフである。
【発明を実施するための形態】
【００２３】
図１は、本発明に係る放射線画像撮影装置の実施形態のマンモグラフィ装置２０の構成図である。
【００２４】
マンモグラフィ装置２０は、立設状態に設置される基台２２と、基台２２の略中央部に配設された回転軸２４に固定されるアーム部材２６と、被写体２７の乳房２８（検査対象部位、図２）に対して放射線Ｘｒａｙを照射する放射線源３０（図２）を収納し、アーム部材２６の一端部に固定される放射線源収納部３２と、乳房２８を透過した放射線Ｘｒａｙを検出する固体検出器６０（放射線検出器、図２、図３）が収納され、アーム部材２６の他端部に固定される撮影台３６と、撮影台３６に対して乳房２８を圧迫して保持する圧迫板３８と、圧迫板３８に装着され乳房２８の生検部位から必要な組織を採取するバイオプシハンド部４０とを備える。なお、基台２２には、被写体２７の撮影部位、撮影方向等の撮影情報、被写体２７のＩＤ情報等を表示するとともに、必要に応じてこれらの情報を設定可能な表示操作部４２が配設される。
【００２５】
放射線源収納部３２及び撮影台３６を連結するアーム部材２６は、回転軸２４を中心として回転することで、被写体２７の乳房２８に対する撮影方向が調整可能に構成される。また、放射線源収納部３２は、ヒンジ部３５を介してアーム部材２６に連結されており、矢印θ方向に撮影台３６とは独立に回転可能に構成される。圧迫板３８は、アーム部材２６に連結された状態で放射線源収納部３２及び撮影台３６間に配設されており、矢印Ｚ方向に変位可能に構成される。
【００２６】
圧迫板３８には、バイオプシハンド部４０を用いた組織採取のための開口部４４が形成される。バイオプシハンド部４０は、圧迫板３８に固定されたポスト４６と、ポスト４６に一端部が軸支され、圧迫板３８の面に沿って回転可能な第１アーム４８と、第１アーム４８の他端部に一端部が軸支され、圧迫板３８の面に沿って回転可能な第２アーム５０とを備える。第２アーム５０の他端部には、矢印Ｚ方向に移動可能な生検針５２が装着される。生検針５２は、図２に示すように、乳房２８の生検部位５４の組織を吸引して採取する採取部５６を有する。生検針５２の採取部５６は、バイオプシハンド部４０の第１アーム４８及び第２アーム５０を圧迫板３８の面に沿ったＸ−Ｙ平面内で移動させるとともに、生検針５２を矢印Ｚ方向に移動させることにより、生検部位５４の近傍に配置することができる。
【００２７】
図２は、マンモグラフィ装置２０における撮影台３６の内部構成を示す要部説明図であり、撮影台３６及び圧迫板３８間に被写体２７の撮影部位（関心部位）である乳房２８を配置した状態を示す。なお、参照符号２９は、被写体２７の胸壁を示す。
【００２８】
撮影台３６の内部には、放射線源収納部３２に内蔵された放射線源３０から曝射された放射線Ｘｒａｙに基づいて撮像された放射線画像情報を蓄積し、電気信号として出力する固体検出器６０と、固体検出器６０に蓄積記録された放射線画像情報を読み取るために、固体検出器６０に読取光を照射する読取光源部６２とが収納される。さらに、撮影台３６の内部には、放射線Ｘｒａｙの曝射制御条件を決定するため、乳房２８及び固体検出器６０を透過した放射線Ｘｒａｙの放射線量を検出する複数の放射線量情報検出器（以下、ＡＥＣセンサ６４という）と、固体検出器６０に蓄積されている不要電荷を除去するために、固体検出器６０に消去光を照射する消去光源部６６とが収納される。
【００２９】
固体検出器６０は、直接変換方式且つ光読出方式の放射線固体検出器であって、乳房２８を透過した放射線Ｘｒａｙに基づく放射線画像情報を静電潜像として蓄積し、読取光源部６２からの読取光により走査されることで、静電潜像に応じた電流を発生する。
【００３０】
固体検出器６０は、例えば、特開２００４−１５４４０９号公報に開示された構造のものを用いることができ、具体的には、ガラス基板上に形成され、放射線Ｘｒａｙを透過する第１導電層と、放射線Ｘｒａｙが曝射されることで電荷を発生する記録用光導電層と、第１導電層に帯電される潜像極性電荷に対して略絶縁体として作用する一方、潜像極性電荷と逆極性の輸送極性電荷に対して略導電体として作用する電荷輸送層と、読取光が照射されることで電荷を発生して導電性を呈する読取用光導電層と、放射線Ｘｒａｙを透過する第２導電層とを順に積層して構成される。記録用光導電層と電荷輸送層との界面には、蓄電部が形成される。
【００３１】
第１導電層及び第２導電層は、それぞれ電極を構成する。第１導電層の電極は、二次元状の平坦な平板電極とされ、第２導電層の電極は、記録される放射線画像情報を画像信号として検出するための所定の画素ピッチからなる多数の線状電極として構成される。線状電極の配列方向が主走査方向、線状電極の延在する方向が副走査方向に対応する。
【００３２】
読取光源部６２は、例えば、複数のＬＥＤチップを一列に並べて構成されるライン光源と、ライン光源から出力された読取光を固体検出器６０上に線状に照射させる光学系とを有し、固体検出器６０の第２導電層である線状電極の延在方向と直交する方向にＬＥＤチップが配列されたライン光源を前記線状電極の延在方向（図３の矢印Ｃ方向）に移動させることで固体検出器６０の全面を露光走査する。
【００３３】
消去光源部６６は、図３に示すように、短時間で発光／消光し、且つ、残光の非常に小さいＬＥＤチップ６８をパネル７０上に多数配列して構成される。なお、パネル７０は、固体検出器６０と平行に配置された状態で撮影台３６に収納される。
【００３４】
ＡＥＣセンサ６４は、図２及び図３に示すように、センサ基板７２上に複数（本実施形態の場合、１６個）配設されており、消去光源部６６を構成するパネル７０に形成された孔部７３から固体検出器６０方向を指向している。なお、各ＡＥＣセンサ６４は、該孔部７３からＡＥＣセンサ６４側に向けて、放射線源３０からの放射線Ｘｒａｙ方向に沿って延出される角形の筒状部材（不図示）で囲繞した状態で配置される。
【００３５】
このようなＡＥＣセンサ６４は、撮影台３６上に乳房２８が位置決め固定された状態で、該乳房２８に対応するようにしてセンサ基板７２上に配列される（図３参照）。
【００３６】
図４は、マンモグラフィ装置２０を構成するＡＥＣ回路ブロック図である。
【００３７】
マンモグラフィ装置２０の制御回路は、放射線源収納部３２に収納され、曝射スイッチ７４の操作によって放射線Ｘｒａｙを放出する放射線源３０を制御する放射線源制御部７６と、撮影条件等を入力設定可能な表示操作部４２と、入力設定された前記撮影条件に基づいて放射線源３０の位置や回転角度、撮影台３６の位置等を駆動制御する駆動制御部７８と、複数のＡＥＣセンサ６４によって検出した放射線Ｘｒａｙの放射線量に基づき、乳房２８の乳腺位置（関心領域）近傍と推定されるＡＥＣセンサ（放射線量情報検出器）６４を選択する測定位置選択部８０と、ＡＥＣセンサ６４によって検出した放射線Ｘｒａｙの単位時間当たりに曝射される放射線量に基づき、放射線源３０による放射線Ｘｒａｙの適切な曝射時間を算出し、曝射制御条件として放射線源制御部７６に供給する曝射時間算出部８２とを備える。
【００３８】
また、マンモグラフィ装置２０の制御回路は、固体検出器（放射線検出部）６０によって検出された放射線Ｘｒａｙの線量に基づいて放射線画像情報（画像情報）を取得し、放射線画像を形成する放射線画像形成部８４と、前記放射線画像を表示する表示部８６とを備える。このように、固体検出器６０は、放射線源３０から曝射される放射線を検出し放射線画像を生成する放射線画像生成手段として機能する。なお、表示部８６には、測定位置選択部８０によって選択されたＡＥＣセンサ６４や特定された乳腺位置を示す位置情報を表す画像が放射線画像に重畳して表示される。
【００３９】
さらに、マンモグラフィ装置２０の制御回路は、各ＡＥＣセンサ６４からの各検出値（放射線量情報）に、重み付け係数を乗じる重み付け係数付与部８８と、スカウト撮影条件（基準の幾何学的撮影条件）に基づいて決定された基準重み付け係数（基準値）を保持する基準値保持部９０と、表示操作部４２から供給される幾何学的撮影条件（放射線源３０の位置や回転角度、撮影台３６の位置等を含み、駆動制御部７８に供給される情報と同一である。）を取得する幾何学的撮影条件取得部９２と、前記スカウト撮影条件及び前記幾何学的撮影条件に基づいて前記基準重み付け係数を補正し、該補正した重み付け係数を重み付け係数付与部８８に供給する重み付け係数補正部９４とを備える。
【００４０】
以上のように、本実施形態に係るマンモグラフィ装置２０は、放射線量情報検出部であるＡＥＣセンサ６４によって検出される放射線量に基づき、測定位置選択部８０で乳房２８の関心領域近傍と推定されるＡＥＣセンサ６４を選択するとともに、放射線源制御部７６で放射線源３０の制御を行うＡＥＣ（自動露出制御）システムとして構成される。
【００４１】
図５は、マンモグラフィ装置２０を構成するバイオプシハンド部４０の駆動制御回路ブロック図である。
【００４２】
マンモグラフィ装置２０は、管電流、管電圧、放射線源３０に設定されるターゲットやフィルタの種類、放射線Ｘの照射線量、照射時間等の撮影条件を設定する撮影条件設定部９６と、これらの撮影条件に従って放射線源３０を駆動制御する放射線源制御部７６と、バイオプシハンド部４０を介して生検針５２を所定位置に移動させる生検針駆動制御部９８と、圧迫板３８を矢印Ｚ方向に移動させる圧迫板駆動制御部１００と、乳房２８を透過した放射線Ｘｒａｙを検出して画像情報に変換する固体検出器６０を制御する検出器制御部１０２と、固体検出器６０により変換された画像情報を記憶する画像情報記憶部１０４と、画像情報を処理することで生検部位５４を自動検出するＣＡＤ（Ｃｏｍｐｕｔｅｒ  Ａｉｄｅｄ  Ｄｉａｇｎｏｓｉｓ）処理部１０６と、自動検出された生検部位５４を含む乳房２８の放射線透過画像を表示する表示部８６とを備える。
【００４３】
また、マンモグラフィ装置２０は、表示部８６に表示された放射線透過画像から、マウス等のポインティングデバイスを用いて生検部位５４を選択する生検部位選択部１０８と、取得した画像情報に対する選択された生検部位５４の位置情報を算出する生検部位位置情報算出部１１０と、生検針５２の移動可能範囲に対する乳房２８の必要な移動量、あるいは、生検部位５４に対する生検針５２の移動量を算出する移動量算出部１１２とを備える。
【００４４】
本実施形態のマンモグラフィ装置２０は、基本的には以上のように構成されるものであり、次に、そのワークフロー及び装置動作につき、図６に示すフローチャートに従って説明する。
【００４５】
［ステップＳ１］
先ず、技師は、撮影条件設定部９６を用いて、被写体２７の年齢、性別、体型、被写体識別番号等に係る被写体情報、放射線画像情報の撮影条件、撮影方法、バイオプシハンド部４０の移動を制限した際の移動制限量、生検針５２の長さ等の処理条件を設定する。なお、これらの処理条件は、マンモグラフィ装置２０の表示操作部４２に表示して確認することができる。
【００４６】
撮影条件設定部９６により設定された処理条件のうち、放射線源３０の管電流、管電圧、放射線Ｘの照射線量、照射時間等の撮影条件は、放射線源制御部７６に設定される。また、処理条件のうち、ＳＩＤ、ステレオ角度等の幾何学的撮影条件は、駆動制御部７８に供給され、所定の駆動動作を行う。
【００４７】
さらに、バイオプシハンド部４０の移動制限量や生検針５２の長さに係る情報は、生検針駆動制御部９８に設定される。
【００４８】
［ステップＳ２］
次いで、技師は、指定された撮影方法に従い、被写体２７の乳房２８のポジショニングを行う。本実施例においては、技師はスカウト撮影の設定を行う。なお、スカウト撮影とは、放射線源収納部３２を回転させることなく、放射線Ｘｒａｙの光軸が撮影台３６に対して法線方向となるように設定して行う撮影である。
【００４９】
図１に示すように乳房２８の撮影を行う場合には、アーム部材２６を回転軸２４を中心に所定角度回転させ（以下、当該角度を「ステレオ角度」という。）、所定の角度位置に設定する。さらに、マンモグラフィ装置２０に対して被写体２７の右側の乳房２８を位置決めする。この場合、右側の乳房２８を撮影台３６の載置面上に載置した後、圧迫板３８を押し下げ、撮影台３６及び圧迫板３８間に乳房２８を保持させる（図２参照）。すなわち、右側の乳房２８の外側（右腕側）を撮影台３６に当てた状態で、内側（左の乳房２８側）から圧迫板３８を押圧して保持する。
【００５０】
［ステップＳ３］
次いで、技師は、乳房２８に曝射する放射線Ｘｒａｙの放射線量を少なく設定することで、関心部位である乳腺領域での曝射制御条件を決定する曝射（以下、「プレ曝射」という）を行う。技師が曝射スイッチ７４を押下すると乳房２８に放射線Ｘｒａｙが曝射され、その後自動的に、各ＡＥＣセンサ６４に付与すべき好適な重み付け係数及び曝射制御条件がそれぞれ基準値保持部９０、メモリ（不図示）に保持される。これにより、技師は、マンモグラフィ装置２０の内部処理を意識することなく、好適なＡＥＣのために必要な設定を行うことができる。
【００５１】
以下、ステップＳ３に対応するマンモグラフィ装置２０の動作を説明する。
【００５２】
ＡＥＣセンサ６４は、圧迫板３８、乳房２８及び固体検出器６０を透過した放射線Ｘｒａｙの放射線量を検出し、測定位置選択部８０に供給する。測定位置選択部８０は、ＡＥＣセンサ６４によって所定のサンプリングタイム毎に検出された放射線Ｘｒａｙの放射線量から単位時間当たりに曝射される放射線量を算出し、その放射線量に基づいて乳腺位置を推定する。すなわち、測定位置選択部８０は、センサ基板７２上に配列された複数のＡＥＣセンサ６４のうち、最小の放射線量を検出するものを選択して乳腺位置近傍を推定することにより、所定の放射線量測定位置として乳線密度が最も大きい位置を乳腺位置（関心領域）として検出することができる。
【００５３】
ここで、各ＡＥＣセンサ６４の検出値をそのまま使用するのではなく、各ＡＥＣセンサの感度特性、撮影位置条件、乳房のポジショニング態様等に応じた、重み付け係数を、各ＡＥＣセンサ６４の検出値に乗ずることができる。以下、測定位置選択部８０に供給する重み付け係数の詳細について説明する。
【００５４】
重み付け係数は、例えば、該各ＡＥＣセンサ６４が有するセンサ感度ばらつきや放射線光路差に伴う放射線量を均一に補正する値を用いることができる。かかる場合は、センサ感度及び撮影位置情報の差異の影響を低減させた、好適なＡＥＣセンサ６４の選択を行うことができる。
【００５５】
また、重み付け係数は、マンモグラフィ装置２０に予め設定された、例えば、基準値保持部９０に既に保持されている値を用いることができる。また、撮影の運用上、プレ曝射に係る幾何学的撮影条件が常に同一でない場合は、表示操作部４２によってプレ曝射に係る幾何学的撮影条件を入力設定し、その条件に好適な重み付け係数を選択することもできる。
【００５６】
次に、各ＡＥＣセンサ６４に付与すべき好適な重み付け係数の算出例について説明する。図７Ａに示すように、複数のＡＥＣセンサ６４は、センサ基板７２上に格子状に配設されている（Ｘ方向に５列、Ｙ方向に５列の計２５個）。各ＡＥＣセンサ６４に付与すべき重み付け係数は、下記（１）式に基づいて決定することができる。
Ｉｏｕｔ（ｉ，ｊ）＝Ｉｉｎ（ｉ，ｊ）×Ｗ１（ｉ，ｊ）×Ｗ２（ｉ，ｊ）  …（１）
【００５７】
ここで、ｉ＝−２，−１，……，＋２、ｊ＝−２，−１，……，＋２であり、（ｉ，ｊ）はＡＥＣセンサ６４に係る識別番号であって、複数のＡＥＣセンサ６４のうち中央に配設（第３行目、第３列目）されているものを、（０，０）とする。また、Ｉｉｎ（ｉ，ｊ）、Ｗ１（ｉ，ｊ）、Ｗ２（ｉ，ｊ）及びＩｏｕｔ（ｉ，ｊ）はそれぞれ識別番号（ｉ，ｊ）のＡＥＣセンサ６４における検出値、センサ感度ばらつき起因の重み付け係数、幾何学的撮影条件起因の重み付け係数、重み付け係数付与後の検出値、を表す。例えば、中央に配設された識別番号（０，０）のＡＥＣセンサ６４の感度特性を基準とするセンサ感度ばらつき起因の重み付け係数は、Ｗ１（ｉ，ｊ）＝Ｉｉｎ（ｉ，ｊ）／Ｉｉｎ（０，０）と求めることができる。
【００５８】
図７Ｂは、スカウト撮影条件における、図７Ａで示した複数のＡＥＣセンサ６４に付与すべき好適な重み付け係数（Ｗ１×Ｗ２）の一例を示す表である。スカウト撮影の際に、このような重み付け係数を用いることで、センサ感度及び幾何学的撮影条件の差異の影響を低減させた、好適なＡＥＣを行うことができる。
【００５９】
また、マンモグラフィ装置２０の病院設置等の際に、作業者がＡＥＣセンサ補正機能により重み付け係数を予め自動設定できるようにすることも好ましい態様である。例えば、作業者は、表示操作部４２によって通常撮影モードとセンサ補正モードとを切り替えることができる。
【００６０】
センサ補正モードの場合、撮影台３６に被写体２７がない状態で、放射線源３０から放射線Ｘｒａｙを曝射、いわゆるべた曝射を行う。このとき、各ＡＥＣセンサ６４は、固体検出器６０を透過した放射線Ｘｒａｙの放射線量を検出する。その検出値に基づいて、前述の数式に適合するような、各ＡＥＣセンサ６４に付与すべき基準重み付け係数を算出することができる。また、基準値保持部９０は、このプレ曝射の作業によって求められた重み付け係数を、スカウト撮影における好適な基準重み付け係数として保持する。
【００６１】
以下、このプレ曝射に係る幾何学的撮影条件及び重み付け係数を、それぞれ、基準幾何学的撮影条件及び基準重み付け係数という。
【００６２】
本実施例では、基準幾何学的撮影条件をスカウト撮影条件（ステレオ角度＝０°）に設定しているが、基準条件をスカウト撮影条件以外の撮影条件（例えば、ステレオ角度≠０°）に変更できる構成にしてもよく、かかる場合は、プレ曝射に係る重み付け係数のみならず、その幾何学的撮影条件も併せて保持することが好ましい。
【００６３】
さらに、重み付け係数付与部８８は、各ＡＥＣセンサ６４のうち乳房２８の周辺部よりも中央部側に設置され、胸壁２９側よりも乳頭側に設置されたＡＥＣセンサ６４を、測定位置選択部８０にて優先的に選択できるように設定された重み付け係数を、各ＡＥＣセンサ６４の検出値に更に乗じた値を測定位置選択部８０に供給することも好ましい態様である。かかる場合は、乳腺領域よりも放射線吸収係数が大きい傾向がある胸筋に重なるＡＥＣセンサ６４の設置位置が乳腺位置（関心領域）として誤選択されることが有効に防止される。
【００６４】
以上のようにして、測定位置選択部８０で乳腺位置近傍と推定されるＡＥＣセンサ６４が選択されると、曝射時間算出部８２は、該乳腺位置においてＡＥＣセンサ６４が検出した単位時間当たりの放射線量に基づき、乳房２８の乳腺領域の適正な放射線画像情報を得るために必要な放射線量を曝射する曝射時間を曝射制御条件として算出する。
【００６５】
このように、プレ曝射によって、乳房２８に曝射する放射線Ｘｒａｙの放射線量を少なく設定することで、注目部位である乳腺領域での曝射制御条件を決定することができる。
【００６６】
［ステップＳ４］
次いで、技師は、放射線源３０を駆動し、乳房２８のステレオ撮影を行う。この場合、ヒンジ部３５（図１）を中心として放射線源収納部３２を移動させ、図８に示すように、放射線源３０をＡ位置に配置して、被写体２７の乳房２８を撮影台３６と圧迫板３８とで保持した状態で撮影を行う。技師が曝射スイッチ７４を押下すると撮影を開始し、曝射時間算出部８２により算出された曝射時間に基づいて放射線Ｘｒａｙが曝射された後、自動的に乳房２８に係る放射線画像が形成される。同様に、図８に示すように、放射線源３０をＢ位置に配置して、撮影を開始すると、自動的に乳房２８に係る放射線画像が形成される。
【００６７】
以下、ステップＳ４に対応するマンモグラフィ装置２０の動作を説明する。
【００６８】
放射線源３０をＡ位置及びＢ位置に配置し、放射線Ｘｒａｙを照射することにより、乳房２８を透過した放射線Ｘｒａｙが撮影台３６の固体検出器６０によって放射線の線量として検出される。検出器制御部１０２は、固体検出器６０を制御して、Ａ位置及びＢ位置における乳房２８の前記放射線の線量から放射線画像情報を取得し、該放射線画像情報は放射線画像形成部８４に供給される。
【００６９】
一方、ＡＥＣセンサ６４は、圧迫板３８、乳房２８及び固体検出器６０を透過した放射線Ｘｒａｙの放射線量を検出する。重み付け係数付与部８８は、この検出値に重み付け係数を付与し、該重み付け係数を測定位置選択部８０に供給する。測定位置選択部８０は、乳房２８の乳腺領域の適正な放射線画像情報を得るために必要な放射線量を曝射する曝射時間を曝射制御条件として算出し、必要に応じて放射線源制御部７６の曝射時間の更新することができる。測定位置選択部８０にＡＥＣセンサ６４の検出値が供給された後、曝射時間を算出する方法の詳細については、前に述べた通りであるため省略する。
【００７０】
また、各ＡＥＣセンサ６４の検出値を放射線画像形成部８４に供給し、後述（ステップＳ５）のＣＡＤ処理を含めた画像処理に係るパラメータとして利用できる。さらに、各ＡＥＣセンサ６４の検出値や曝射時間等の種々の撮影情報を画像と併せて表示し、あるいはデータベース化することができる。これにより、技師又は医師は、このデータベース化された患者の被曝情報等の履歴を以後の診断・治療等に活用することができる。
【００７１】
ここで、各ＡＥＣセンサ６４の検出値を有効に利用するためには、基準値保持部９０に保持された基準重み付け係数をそのまま使用するのではなく、各ステレオ撮影の幾何学的撮影条件に応じた好適な重み付け係数を使用することが望ましい。
【００７２】
以下、重み付け係数の補正方法について詳細に説明する。幾何学的撮影条件取得部９２は、重み付け係数の補正に用いるべき幾何学的撮影条件を表示操作部４２から取得する。次に、重み付け係数補正部９４は、基準値保持部９０から供給された基準幾何学的撮影条件、及び幾何学的撮影条件取得部９２から供給された幾何学的撮影条件に基づいて、基準値保持部９０で保持された基準重み付け係数を補正し、該補正した重み付け係数を重み付け係数付与部８８に供給する。
【００７３】
ここで、幾何学的考察によれば、各ＡＥＣセンサ６４に付与すべき重み付け係数は、下記（２）式及び（３）式に基づいて補正することができる。
Ｉｏｕｔ（ｉ，ｊ）＝Ｉｉｎ（ｉ，ｊ）×Ｗ（ｉ，ｊ）  …（２）
Ｗ（ｉ，ｊ）＝Ｋ（ｉ，ｊ）×Ｗ１（ｉ，ｊ）×Ｗ２（ｉ，ｊ）  …（３）
【００７４】
前述のように、ｉ＝−２，−１，……，＋２、ｊ＝−２，−１，……，＋２であり、（ｉ，ｊ）はＡＥＣセンサ６４に係る識別番号であって、複数のＡＥＣセンサ６４のうち中央に配設（第３行目、第３列目）されているものを、（０，０）とする。また、Ｉｉｎ（ｉ，ｊ）、Ｗ（ｉ，ｊ）及びＩｏｕｔ（ｉ，ｊ）は、それぞれ識別番号（ｉ，ｊ）のＡＥＣセンサ６４における元の検出値、補正された基準重み付け係数、補正された基準重み付け係数付与後の検出値を表す。さらに、Ｋ（ｉ，ｊ）、Ｗ１（ｉ，ｊ）及びＷ２（ｉ，ｊ）はそれぞれ識別番号（ｉ，ｊ）のＡＥＣセンサ６４における重み付け係数の補正係数、プレ曝射で導出されセンサ感度ばらつき起因の重み付け係数、プレ曝射で導出された幾何学的撮影条件起因の重み付け係数、を表す。
【００７５】
補正係数Ｋ（ｉ，ｊ）は、基準重み付け係数（Ｗ１×Ｗ２）、スカウト撮影及びステレオ撮影に係る幾何学的撮影条件に基づいて導出される。以下、補正係数Ｋ（ｉ，ｊ）の設定例について詳細に説明する。
【００７６】
図９は、マンモグラフィ装置２０に係る幾何学的撮影条件の具体例を示す図である。図９Ａは、撮影台３６の平面図を示す。回転軸２４を中心として放射線源３０を回転させたときの、放射線源３０から撮影台３６の平面に垂線を下ろした交点の軌跡をＸ軸（Ｙ＝０）とし、スカウト撮影条件（ステレオ角θが０°）における前記交点の座標を原点Ｏ（０，０）とする。このとき、ＡＥＣセンサ６４が配設されている座標を（ｘ，ｙ）とすると、ｘ及びｙが幾何学的撮影条件に相当する。
【００７７】
また、図９Ｂは、放射線源３０、撮影台３６、ＡＥＣセンサ６４の位置関係についてのＹ軸方向断面図（Ｘ−Ｚ平面図）を示す。固体検出器６０（あるいは撮影台３６）が構成する平面をＺ＝０とし、スカウト撮影条件（θ＝０°）における放射線源３０と固体検出器６０（あるいは撮影台３６）との距離をＤとする。また、放射線源３０は、回転軸２４上の一点であるアイソセンタＯ’（０，Ｄ−Ｒ）を中心に半径Ｒの円軌道を描くように駆動できる。さらに、ＡＥＣセンサ６４は座標（ｘ，ｚ）の位置に設置されている。このとき、θ、Ｄ、Ｒ、ｘ及びｚが幾何学的撮影条件に相当する。
【００７８】
なお、幾何学的撮影条件は、ステレオ角度θ、ＡＥＣセンサ６４の位置（ｘ，ｙ，ｚ）、アイソセンタＯ’の位置（０，０，Ｄ−Ｒ）、及び撮影台３６（あるいは固体検出器６０）に係る検出面の法線方向の位置（Ｚ＝０）の４つのパラメータから構成されることが好ましい。しかし、該４つのパラメータ以外の撮影条件であっても、該４個のパラメータを一意的に導出できるものであれば、幾何学的撮影条件を決定するパラメータとして用いることができる。例えば、図９Ｂにおいて、アイソセンタＯ’及び固体検出器６０に係る検出面の法線方向の位置に代替して、Ｄ（スカウト撮影時におけるＳＩＤに相当）を、幾何学的撮影条件を決定するパラメータとして用いることもできる。
【００７９】
図１０、図１１は、好適な重み付け係数の一例を示す図である。
【００８０】
図１０Ａは、θ＝−４５°（θ＝０°を基準として、反時計回り４５°の位置）におけるＫ（ｉ，ｊ）のマトリクス、図１０Ｂは補正後の重み係数Ｗ（ｉ，ｊ）を示す表である。また、図１１Ａは、θ＝＋４５°（θ＝０°を基準として、時計回り４５°の位置）におけるＫ（ｉ，ｊ）のマトリクス、図１１Ｂは補正後の重み係数Ｗ（ｉ，ｊ）を示す表である。なお、前述のように、表中の（ｉ，ｊ）はＡＥＣセンサ６４に係る識別番号である。
【００８１】
このようにして、ステレオ撮影の際、その撮影に係る幾何学的撮影条件等に基づいて補正係数Ｋ（ｉ，ｊ）が導出され、この値を基準重み付け係数に乗じることにより重み付け係数が補正される。その結果、ステレオ撮影（ステレオ角度を変更した撮影）の都度にプレ曝射しその撮影に適した重み付け係数を取得することなく、好適なＡＥＣセンサ６４の補正を行うことができる。
【００８２】
［ステップＳ５］
次いで、技師は、マウスやタッチパネル等による必要なＧＵＩ操作を行うことで、放射線画像形成部８４においてＣＡＤ処理が行われる。
【００８３】
図８で示すように、Ａ位置及びＢ位置に放射線源３０を回転させて撮影を行った後、これらの２枚の放射線画像情報を一旦画像情報記憶部１０４に記憶させ、ステレオ画像を作成して表示部８６に表示する。ＣＡＤ処理部１０６は、画像情報記憶部１０４に記憶された画像情報に対して定量的な画像処理を施すことにより、異常候補部位を抽出する。
【００８４】
［ステップＳ６］
次いで、技師は、マウスやタッチパネル等による必要なＧＵＩ操作を行うことで、表示部８６に画像表示が行われる。
【００８５】
ＣＡＤ処理部１０６によって抽出された異常候補部位を、乳房２８の放射線透過画像とともに表示部８６に表示させる。表示部８６には、乳房２８の放射線透過画像と、ＣＡＤ処理によって抽出された異常候補部位を示すマーカと、圧迫板３８の開口部４４の画像とを併せて表示させることが好ましい。
【００８６】
［ステップＳ７］
次いで、技師は、生検部位選択部１０８を用いて表示部８６に表示されているステレオ画像から生検部位５４を指示する。なお、生検部位選択部１０８は、マウスやタッチパネル等のＧＵＩにより構成することができる。
【００８７】
この後、技師による生検部位採取開始の操作に基づいて、以下のステップＳ８〜Ｓ１０に対応するマンモグラフィ装置２０の動作が自動的に行われる。
【００８８】
［ステップＳ８］
次いで、生検部位位置情報算出の動作が行われる（ステップＳ８）。生検部位位置情報算出部１１０は、技師によって指示された生検部位５４と、画像情報記憶部１０４に記憶されている２枚の放射線画像情報とに基づき、生検部位５４の位置情報を算出する。なお、この位置情報は、生検部位５４の三次元位置情報である。算出された生検部位５４の位置情報は、生検針駆動制御部９８に供給される。生検部位位置情報算出部１１０によって算出された生検部位５４の位置情報は、移動量算出部１１２に供給される。
【００８９】
その後、移動量算出部１１２は、生検部位５４の位置情報を用いて、生検針５２を生検部位５４に移動させる移動量を算出する。この場合、生検針５２の移動量は、例えば、開口部４４の中心の座標を基準として、Ｘ方向移動量、Ｙ方向移動量として生検針駆動制御部９８に設定される。移動量算出部１１２によって算出された生検針５２の移動量は、生検針駆動制御部９８に供給される。
【００９０】
［ステップＳ９］
次いで、生検針移動の動作が行われる（ステップＳ９）。生検針駆動制御部９８は、移動量算出部１１２から供給された生検針５２の移動量に従い、生検針５２を駆動制御して所定の位置まで移動させる。バイオプシハンド部４０は、生検部位５４のＸ方向及びＹ方向の位置情報に従い、第１アーム４８及び第２アーム５０をＸ−Ｙ平面内で移動させ、生検針５２を生検部位５４の上部に位置決めする。次いで、生検針５２をＺ方向に移動させ、圧迫板３８に形成した開口部４４を介して生検針５２を乳房２８に刺入する動作を開始する。
【００９１】
生検針５２のＺ方向の位置情報は、生検部位位置情報算出部１１０によって逐次算出され、生検針駆動制御部９８に供給される。前記生検針５２のＺ方向の位置情報及び既に設定されたバイオプシハンド部４０の移動制限量に従い、生検針駆動制御部９８により生検針５２をＺ方向に移動させ、生検針５２の採取部５６（図２）を生検部位５４の近傍に到達させる。この場合、生検針５２のＸ−Ｙ平面内での移動が制限されているため、刺入状態において、生検針５２が不用意にＸ方向又はＹ方向に大きく移動することがなく、乳房２８の組織を損傷してしまう事態を回避することができる。
【００９２】
［ステップＳ１０］
最後に、生検部位採取の動作が行われる（ステップＳ１０）。生検針５２の採取部５６が生検部位５４の近傍に到達すると、生検針５２による吸引処理が開始され、生検部位５４が採取される。その後、生検針５２をＺ方向に移動させることにより、生検針５２が乳房２８から抜き取られ、作業が終了する。
【００９３】
以上説明したように、上述した実施形態に係るマンモグラフィ装置２０は、回転軸（ヒンジ部３５）を中心として回転可能に支持された、被写体２７の乳房２８に放射線Ｘｒａｙを曝射する放射線源３０と、被写体２７の乳房２８を透過した放射線Ｘｒａｙの線量を検出する固体検出器６０と、固体検出器６０により検出した放射線Ｘｒａｙの線量に基づいて被写体２７の乳房２８に係る画像情報を取得し、該画像情報に基づいて放射線画像を形成する放射線画像形成部８４と、複数の測定位置において、被写体２７の乳房２８を透過した放射線Ｘｒａｙの線量を検出し、ＡＥＣ用の検出値を取得する複数のＡＥＣセンサ６４と、複数のＡＥＣセンサ６４の位置において測定された検出値に前記位置に応じた重み付け係数を乗じる重み付け係数付与部８８と、重み付け係数が乗じられた前記検出値に基づいて放射線源３０から曝射される放射線量を制御する放射線源制御部７６と、を有するマンモグラフィ装置２０であって、基準幾何学的撮影条件に基づいて決定された重み付け係数を基準重み付け係数として保持する基準値保持部９０と、放射線源３０、固体検出器６０、又は複数のＡＥＣセンサ６４の位置に関する幾何学的撮影条件を取得する幾何学的撮影条件取得部９２と、基準幾何学的撮影条件、基準重み付け係数及び幾何学的撮影条件に基づいて前記基準重み付け係数を補正する重み付け係数補正部９４と、が配置される構成を有する。
【００９４】
このように、基準幾何学的撮影条件、基準重み付け係数及び幾何学的撮影条件に基づいて前記基準重み付け係数を補正するように構成したので、マンモグラフィ装置２０におけるバイオプシの用に供される重み付け係数をステレオ撮影の都度に取り直すことなく、各ＡＥＣセンサ６４の検出値補正を好適に行うことができる。
【００９５】
また、幾何学的撮影条件は、放射線源３０の回転角、複数のＡＥＣセンサ６４の配設位置、放射線源３０（ヒンジ部３５）と固体検出器６０の所定位置、で定められるように設定したので、ステレオ角度の差異に伴い発生する各ＡＥＣセンサ６４の検出値ずれ、すなわち、幾何学的歪み起因の各ＡＥＣセンサ６４の検出値ずれを容易かつ高精度に補正することができる。
【００９６】
さらに、スカウト撮影に係る幾何学的撮影条件を基準幾何学的撮影条件に設定したので、一般的態様である通常のマンモグラフィ撮影（バイオプシ機能を使用しない撮影）時において、重み付け係数を補正することなく基準重み付け係数を直接使用できるので、各ＡＥＣセンサ６４に付与すべき最も好適な重み付け係数を選択することができる。
【００９７】
さらに、撮影部位を乳房２８とするマンモグラフィ装置２０であるため、乳房組織の生検を行うことができる。
【００９８】
なお、本実施形態は、乳房撮影定位装置のみならずトモシンセシス撮影にも適用することができる。
【００９９】
ここで、トモシンセシス撮影とは、被写体に対して複数の異なるステレオ角度で放射線源から放射線を照射する撮影方法である。このトモシンセシス撮影によって、前記被写体を透過した前記各放射線を放射線検出器により検出して放射線画像データにそれぞれ変換し、変換した前記各画像データを再構成して前記被写体の任意の断層位置における再構成断層画像を生成することができる。
【０１００】
ところが、再構成断層画像は、複数のステレオ角度が数十枚程度の画像データを再構成することにより生成される。通常は、数十枚程度の画像データを取得するためには数十通りの異なるステレオ角度での撮影を要し、各ステレオ角度に好適なＡＥＣセンサ６４の重み付け係数が必要となる。そこで、本実施例に係るマンモグラフィ装置２０を用いれば、ステレオ角度の変更の都度にプレ曝射を行うことなく、各ＡＥＣセンサ６４の検出値補正を好適に行うことができる。
【０１０１】
かかる場合は、前述の補正係数Ｋ（ｉ，ｊ）をステレオ角度の関数として求めておき、基準重み付け係数に該補正係数を乗じて基準重み付け係数を補正できるようにすることが好ましい。
【０１０２】
図１２は、トモシンセシスに好適な重み付け係数の一例を示すグラフである。幾何学的撮影条件は、Ｄ＝１．０［ｍ］、Ｒ＝０．５［ｍ］、Δｘ＝０．１５［ｍ］、Δｙ＝０．１０［ｍ］、ｚ＝−０．０５［ｍ］とした。ここで、Δｘ、Δｙは、隣接するＡＥＣセンサ６４のそれぞれｘ方向、ｙ方向距離（格子間隔）を意味する。
【０１０３】
ＡＥＣセンサ識別番号（０，０）に係る補正係数Ｋ（０，０）は、ステレオ角度θ＝０°をピークとする、θ＝０°軸に対して対称関数となる。また、ＡＥＣセンサ識別番号（−１，−１）に係る補正係数Ｋ（−１，−１）は、θ＝＋２０°付近をピークとする、θ＝０°軸に対して非対称関数となる。さらに、ＡＥＣセンサ識別番号（＋２，＋２）に係る補正係数Ｋ（＋２，＋２）は、θ＝−２５°付近をピークとする、θ＝０°軸に対して非対称関数となる。
【０１０４】
このように、各ＡＥＣセンサ６４に対する好適な補正係数Ｋ（ｉ，ｊ）を、ステレオ角度θの関数として保持することができる。
【０１０５】
また、重み付け係数付与部８８に供給される重み付け係数のデータ形式は、幾何学的条件やステレオ角度等の変数の値にかかわらず、共通のデータ形式であることが好ましい。このように構成すれば、変数の差異にかかわらず、重み付け係数付与部８８において共通のハードウェア／ソフトウェア演算処理を実行することができる。
【０１０６】
なお、この発明は、上述した実施形態に限定されるものではなく、この発明の主旨を逸脱しない範囲で自由に変更できることは勿論である。
【０１０７】
例えば、上記実施形態で説明した重み付け係数（図７Ｂ、図１０〜１２参照）は、本発明が適用される装置や方法に応じて適宜変更であることは言うまでもなく、ＡＥＣセンサの配設数も勿論変更可能である。
【０１０８】
また、上記実施形態では、固体検出器６０を用いた場合について説明したが、固体検出器６０に代替して、蓄積性蛍光体パネルを撮影台３６に対して着脱自在に構成される放射線画像撮影装置を用いるようにしてもよい。
【０１０９】
また、上記実施形態では、固体検出器６０に蓄積された静電潜像が、読取光源部６２からの読取光により走査されることで電流を発生させる、いわゆる光走査方式について例示して説明したが、前記のような読取光源部６２を用いることなくＴＦＴ方式により静電潜像の電荷を読出可能な構成にしてもよい。さらに、前記のような読取光源部６２を用いることなく直接変換して画像を生成可能な放射線固体検出器を用いることもできる。
【０１１０】
また、上記実施形態では、画像センサである固体検出器６０と、放射線量情報検出器であるＡＥＣセンサ６４とが別体の場合について例示して説明したが、これに限らず、ＴＦＴ方式等の場合は、画像センサの一部を放射線量情報検出器として利用することができ、この場合は放射線量情報検出器を画像センサで代用することも可能である。かかる場合は、ステレオ撮影の前に行われるプレ曝射で得られた放射線画像を利用することができる。該放射線画像に対して、様々な画像処理アルゴリズムを適用することで適当な関心領域を導出し、その関心領域の数、位置及び大きさに基づいて、放射線源３０の曝射制御を行うことができる。
【符号の説明】
【０１１１】
２０…マンモグラフィ装置            ２２…基台
２４…回転軸                        ２６…アーム部材
２７…被写体                        ２８…乳房
２９…胸壁                          ３０…放射線源
３２…放射線源収納部                ３６…撮影台
３８…圧迫板                        ４２…表示操作部
６０…固体検出器                    ６４…ＡＥＣセンサ
７４…曝射スイッチ                  ７６…放射線源制御部
７８…駆動制御部                    ８０…測定位置選択部
８２…曝射時間算出部                ８４…放射線画像形成部
８６…表示部                        ８８…重み付け係数付与部
９０…基準値保持部                  ９２…幾何学的撮影条件取得部
９４…重み付け係数補正部
【図１】
2010227432.tif 000003
【図２】
2010227432.tif 000004
【図３】
2010227432.tif 000005
【図４】
2010227432.tif 000006
【図５】
2010227432.tif 000007
【図６】
2010227432.tif 000008
【図７】
2010227432.tif 000009
【図８】
2010227432.tif 000010
【図９】
2010227432.tif 000011
【図１０】
2010227432.tif 000012
【図１１】
2010227432.tif 000013
【図１２】
2010227432.tif 000014